(57)【要約】【課題】物品の持ち主等を容易に識別することができるとともに、プライバシーに配慮し、かつ、デザイン的にも優れたストラップを提供する。【解決手段】ストラップ１００は、人体の一部に係止されるループ状かつ略平板状の本体部１１０と、本体部１１０に接続され、物品を連結する連結部１２０とを含む。本体部１１０において、ループの外表面に、平板状のラベルを収納可能な収納部１４０を備え、この収納部１４０は、収納されたラベルが透視可能な透明シート１４４で覆われている。このラベルには物品の持ち主等を識別情報が記載されている。この透明シート１４４は平板状のフラップ１４６Ｂで覆われており、このフラップ１４６Ｂは透明シート１４４（を通してラベル）を視認可能な状態と視認不可能な状態とに切り換えることができる。【選択図】図２
0003199307.tif 000002
【実用新案登録請求の範囲】
【請求項１】
物品を吊り下げるためのストラップであって、
人体の一部に係止されるループ状かつ略平板状の本体部と、
前記本体部に接続され、前記物品を連結する連結部とを含み、
前記本体部において、前記ループの外表面または内表面に、平板状のラベルを収納可能な収納部を備え、
前記収納部は、前記収納されたラベルが透視可能な透明部で覆われていることを特徴とするストラップ。
【請求項２】
前記透明部を覆うように設けられた平板状の被覆部をさらに含み、前記被腹部は前記透明部を視認可能な状態と視認不可能な状態とに切り換えることができることを特徴とする、請求項１に記載のストラップ。
【請求項３】
前記本体部と前記被覆部とは同じ素材で形成されていることを特徴とする、請求項２に記載のストラップ。
【考案の詳細な説明】
【技術分野】
【０００１】
本考案は、杖等の物品に適したストラップ（提げ具）であって、特に、杖等の物品に付けるだけでその杖等の物品の持ち主等を識別することができ、デザイン的にも優れたストラップに関する。なお、本考案に係るストラップは、物品（杖に限定されない）を吊り下げるために人体の一部に係止されるストラップであって、たとえば、手首部に係止されるハンドストラップ、肩部に係止されるショルダーストラップ等を含む。
【背景技術】
【０００２】
高齢者等が歩行時に用いる杖の把持部近傍に対して（ハンド）ストラップが取り付けられて使用されている。すなわち、ループとした手提げ紐（ストラップ）が取り付け具等により杖の把持部近傍に固着されている。手提げ紐が取り付けられた杖の使用時には、予め手提げ紐を手首または手（手首等）に掛けておくことにより、手を放した状態でも杖を床に落とさず、手もとから離さない状態を維持できることから、身体の自由が制限される高齢者等には便利である。
【０００３】
しかし、その一方で、杖を使用していて転倒した場合、転倒の際に杖の把持部を握ったままであると手首等に掛けられた手提げ紐が杖に追従し、手首等を強く引っ張り圧迫して危険な場合がある。実用新案登録第３０５９９５５号公報（特許文献１）は、このような欠点を解決する杖用ストラップであって、身体の自由を制限される高齢者等に対する便利性を維持しつつ、転倒時の危険を排除した杖用ストラップを開示する。
【０００４】
特許文献１に開示された杖用ストラップは、合成樹脂製の筒状体における筒壁の一部に、筒状体内径よりも狭幅としたスリット状の開口部を設け、かつ、筒状体の外周面の他の部分に連結部を設けてなる杖保持部における連結部に対して、ループ状とした手提げ紐を、直接または連結手段を介して、取付けて構成したことを特徴とする。
この杖用ストラップによると、転倒の際に杖の把持部を握ったままである場合には、手首等に掛けられた手提げ紐が杖に追従する初期段階において、杖保持部の開口縁部が杖主体に乗り上げるように倒れて杖の直径まで合成樹脂の弾性力で開いた後、杖から杖保持部が離脱するから（杖からストラップが離脱するので杖と高齢者等の人体とが離隔するから）、手首等を強く引っ張り圧迫することもなく、手首等に内出血や擦過傷を招かないものとすることができる。
【先行技術文献】
【特許文献】
【０００５】
【特許文献１】実用新案登録第３０５９９５５号公報
【考案の概要】
【考案が解決しようとする課題】
【０００６】
この特許文献１に開示された杖用ストラップは、使用者の転倒時に安全を確保する点で好ましい。一方、このような杖を用いる高齢者等が多く集まる場所においては、多くの杖があって、杖自体に構造上の特徴が少なく、持ち主を容易に識別することができない。なお、杖に氏名を記載したテープを貼付することも考えられるが、氏名を明らかにしたくない場合に他人が容易に知り得る点（プライバシーに配慮していない点）で好ましくなく、また、デザイン的にも好ましいものではない。
【０００７】
このような事態は、杖の（ハンド）ストラップに限定されるものではなく、人体の一部に係止されるストラップに取り付けられ吊り下げられる物品に共通しており、たとえば、手首部に係止されるハンドストラップ、肩部に係止されるショルダーストラップ等においても、プライバシーに配慮し、かつ、デザイン的に好ましいにも関わらず、吊り下げられる物品（杖のみならず携帯電話、スマートフォン、鞄等）の持ち主を容易に識別することのできるストラップは、従来において存在しない。
【０００８】
本考案の目的は、このような問題点に鑑み、杖等の物品に適したストラップ（提げ具）であって、特に、杖等の物品に付けるだけでその杖等の物品の持ち主等を識別することができ、プライバシーに配慮し、かつ、デザイン的にも優れたストラップを提供することである。
【課題を解決するための手段】
【０００９】
上述した目的を達成するため、本考案においては以下の技術的手段を講じた。
すなわち、本考案に係るストラップは、物品を吊り下げるためのストラップであって、人体の一部に係止されるループ状かつ略平板状の本体部と、前記本体部に接続され、前記物品を連結する連結部とを含み、前記本体部において、前記ループの外表面または内表面に、平板状のラベルを収納可能な収納部を備え、前記収納部は、前記収納されたラベルが透視可能な透明部で覆われていることを特徴とする。
【００１０】
好ましくは、前記透明部を覆うように設けられた平板状の被覆部をさらに含み、前記被腹部は前記透明部を視認可能な状態と視認不可能な状態とに切り換えることができるように構成することができる。
さらに好ましくは、前記本体部と前記被覆部とは同じ素材で形成されているように構成することができる。
【考案の効果】
【００１１】
本考案によれば、杖等の物品に適したストラップ（提げ具）であって、特に、杖等の物品に付けるだけでその杖等の物品の持ち主等を識別することができ、プライバシーに配慮し、かつ、デザイン的にも優れたストラップを提供することができる。
【図面の簡単な説明】
【００１２】
【図１】本考案の実施の形態に係るストラップであって被覆部（フラップ）を閉じた状態の斜視図である。
【図２】図１のストラップの被覆部（フラップ）を開いた状態の斜視図である。
【図３】図１のストラップの収納部を分解した斜視図である。
【考案を実施するための形態】
【００１３】
以下、本考案の実施の形態に係るハンドストラップ（以下においては単にストラップと記載する）１００およびストラップ２００を、図面に基づき詳しく説明する。なお、以下の説明では、同一の部品（部分）には同一の符号を付してある。それらの名称及び機能も同じである。したがって、それらについての詳細な説明は繰り返さない。また、本実施の形態に係るストラップ１００およびストラップ２００は、人体の手首部に係止する（引っ掛ける）ストラップであるが、本考案はこれに限定されるものではなく手首部以外の人体の一部（たとえば肩部）に係止するものであっても構わない。
【００１４】
図１は本考案の実施の形態に係るストラップ１００およびストラップ２００のフラップ１４６Ｂおよびフラップ２４６Ｂを閉じた状態（後述するように天然皮革製であるために完全に閉じた状態にならない）の斜視図であって、図２はストラップ１００およびストラップ２００のフラップ１４６Ｂおよびフラップ２４６Ｂを開いた状態の斜視図であって、図３はストラップ１００およびストラップ２００の収納部１４０および収納部２４０を分解した斜視図である。
【００１５】
ここで、図１（Ａ）、図２（Ａ）および図３（Ａ）は、連結部１２０を備えたストラップ１００を示し、図１（Ｂ）、図２（Ｂ）および図３（Ｂ）は、連結部１２０とは別の連結部２２０を備えたストラップ２００を示す。後述するように、ストラップ１００は汎用性の高い連結部１２０（特にマツバ１２６）を備えているので適用される物品は特に限定されず、ストラップ２００は杖の把持部近傍に嵌合して取り付ける樹脂製の杖保持部２２６Ｂを備えているので杖に好適に適用される。特に、この杖保持部２２６Ｂは特許文献１の杖保持部のように構成しても構わない。なお、本考案に係るストラップ１００およびストラップ２００が適用される物品（ストラップ１００およびストラップ２００により吊り下げられる物品）は、特に限定されない。
【００１６】
また、ストラップ１００とストラップ２００とでは、後述するフラップ１４６Ｂおよびフラップ２４６Ｂの開く方向が異なる。
以下の説明において、ストラップ２００についての符号を括弧書きで示す場合がある。
これらのストラップ１００（２００）は、図１〜図３に示すように、物品を吊り下げるためのストラップであって、人体の一部に係止されるループ状かつ略平板状の本体部１１０と、本体部１１０に接続され、物品を連結する連結部１２０（２２０）とを含む。
【００１７】
本体部１１０において、ループの外表面に、平板状のラベル１４２（図３参照）を収納可能な収納部１４０（２４０）を備え、この収納部１４０（２４０）は、収納されたラベル１４２が透視可能な透明部（以下において透明シートと記載する）１４４（図２、３参照）で覆われている。
さらに、この透明シート１４４を覆うように設けられた平板状の被覆部（以下においてフラップと記載する）１４６Ｂ（２４６Ｂ）をさらに含むように構成しても構わない。このフラップ１４６Ｂ（２４６Ｂ）は透明シート１４４（を通してラベル１４２）を視認可能な状態（図２参照）と視認不可能な状態（図１参照）とに切り換えることができる。
【００１８】
さらに、本体部１１０とフラップ１４６Ｂ（２４６Ｂ）とは同じ素材で形成されるように構成しても構わない。なお、フラップ１４６Ｂ（２４６Ｂ）はタグ１４６（２４６）の一部であるので、より詳しくは、本体部１１０とタグ１４６（２４６）とは同じ素材で形成されるように構成しても構わない。ここでは、これらの素材は天然皮革としているが、これに限定されるものではない。さらに、この本体部１１０および／またはフラップ１４６Ｂ（２４６Ｂ）の表面に押し型等で模様を付するようにしても構わない。
【００１９】
また、本体部１１０においてループの外表面または内表面に収納部１４０（２４０）を備えていれば構わず、そのため、ループ内側に収納部１４０（２４０）が取り付けられていても構わない。なお、後述する構造により、このラベル１４２は、図１の白抜き矢示の方向に進入（Ｘ方向）および退出（Ｙ方向）させることができ、このラベル１４２を収納部１４０（２４０）から取り出してこのストラップ１００（２００）が吊り下げられる物品の持ち主等を識別する情報（氏名、住所等）を記載して、収納部１４０（２４０）へ入れ込むことができる。ここで、ラベル１４２に記載する情報は、このような情報に限定されるものではない。
【００２０】
さらに詳しく、ストラップ１００およびストラップ２００の構造について、図１〜図３を参照して説明する。
ストラップ１００（２００）において、平板状の天然皮革の本体部１１０は、折り返し部１１４を形成して、その折り返し部１１４をリベット１１６で固定することによりループ状に形成しており、後述する連結部１２０（２２０）の二重リング１２４が、その折り返し部１１４とリベット１１６とで形成される空間１２２に挟まれるようにして取り付けられている。本考案の特徴である収納部１４０（２４０）が設けられる（後述するように縫合される）部分の本体部１１０は、本実施の形態においては、収納部１４０（２４０）の大きさ（ループ周方向に垂直方向である幅方向長さ）に合わせた、拡幅部１１２を備えている。なお、拡幅部１１２は必須の構成ではない。
【００２１】
ストラップ１００の連結部１２０の二重リング１２４には、携帯電話等にマスコット等を取り付けるパーツであるマツバ１２６（二重小リング１２６Ａ、カツラ１２６Ｂおよび紐１２６Ｃで構成）が、二重リング１２４と二重小リング１２６Ａとを嵌め合わせることにより連結されている。そして、この紐１２６Ｃにストラップ１００に吊り下げられる物品が取り付けられる。ストラップ２００の連結部２２０の二重リング１２４には、杖を挟み込んで把持する樹脂製の杖保持部２２６Ｂが、ナスカン２２６Ａを介して連結されている。そして、この杖保持部２２６Ｂにストラップ２００に吊り下げられる杖が取り付けられる。
【００２２】
本考案の特徴である収納部１４０および収納部２４０について、主として図３（Ａ）および図３（Ｂ）を参照して詳しく説明する。なお、図３（Ａ）および図３（Ｂ）における点線は隠れ線ではなく縫合線を示している。
ストラップ１００において、収納部１４０は、本体部１１０の拡幅部１１２に縫合されることにより取り付けられている。収納部１４０は、本体部１１０に近い方から、ラベル１４２、透明シート１４４およびタグ１４６で構成され、タグ１４６は、略平板状の長方形形状であって、周囲部１４６Ａとフラップ１４６Ｂとで構成される。周囲部１４６Ａとフラップ１４６Ｂの一方の短辺とが連結されたままであるので、この短辺を折り曲げることによりフラップ１４６Ｂが立ち上がり、開口部１４６Ｃが形成される。
【００２３】
タグ１４６の大きさは拡幅部１１２の大きさと略同じであって、透明シート１４４の大きさはタグ１４６の大きさと略同じかわずかに小さく、ラベル１４２の大きさは透明シート１４４における縫合線１６２および縫合線１６４で形成される略長方形よりも小さい。
そして、本体部１１０の拡幅部１１２と透明シート１４４とタグ１４６（２４６）の周囲部１４６Ａ（２４６Ａ）とが縫合線１６２（略長方形の１つの長辺を除く３辺分）で縫合されて、収納部１４０（２４０）が本体部１１０に取り付けられている。さらに、透明シート１４４とタグ１４６（２４６）の周囲部１４６Ａ（２４６Ａ）とが縫合線１６４（略長方形の１つの長辺分）で縫合されて、透明シート１４４がタグ１４６に取り付けられており、これら（透明シート１４４およびタグ１４６（２４６）の周囲部１４６Ａ（２４６Ａ））と本体部１１０の拡幅部１１２とは縫合線１６４で縫合されていない。このため、図１の白抜き矢示で示すように、このラベル１４２を収納部１４０（２４０）に対して進入および退出させることができる。
【００２４】
次に、ストラップ２００における収納部２４０について、ストラップ１００と異なる点のみを説明する。ストラップ２００は、ストラップ１００の収納部１４０とは異なる構造の収納部２４０を備える。そして、収納部２４０は収納部１４０のタグ１４６とは異なる構造のタグ２４６を備える。タグ２４６は、略平板状の長方形形状であって、周囲部２４６Ａとフラップ２４６Ｂとで構成される。周囲部２４６Ａとフラップ２４６Ｂの一方の長辺とが連結されたままであるので、この長辺を折り曲げることによりフラップ２４６Ｂが立ち上がり、開口部２４６Ｃが形成される。
【００２５】
なお、タグ１４６においてフラップ１４６Ｂの短辺を折り曲げてフラップ１４６Ｂを立ち上げて開口部１４６Ｃを形成する場合、および、タグ２４６においてフラップ２４６Ｂの長辺を折り曲げてフラップ２４６Ｂを立ち上げて開口部２４６Ｃを形成する場合、フラップ１４６Ｂの短辺およびフラップ２４６Ｂの長辺を折り曲げやすくするために、フラップ１４６Ｂの短辺両端には円形の穴１４６Ｄが開けられており、フラップ２４６Ｂの長辺両端には円形の穴２４６Ｄが開けられている。
【００２６】
また、本体部１１０の拡幅部１１２および収納部１４０（２４０）（より詳しくは、収納部１４０（２４０）はラベル１４２、透明シート１４４およびタグ１４６（２４６））は、略長方形であるとしたが、この形状に限定されるものではない。
以上のような構造を備えたストラップ１００（２００）の使用方法について説明する。
まず、図１の白抜き矢示のＹ方向にラベル１４２を退出させて、ラベル１４２を収納部１４０（２４０）から取り出す。このストラップ１００（２００）が吊り下げられる物品の持ち主等を識別する情報（氏名、住所等）をラベル１４２に記載する。図１の白抜き矢示のＸ方向にラベル１４２を進入させて、このような識別情報が記載されたラベル１４２を収納部１４０（２４０）へ入れ込む。この場合において、透明シート１４４およびタグ１４６は縫合線１６４によっては本体部１１０の拡幅部１１２に縫合されていないので、ラベル１４２を図１の白抜き矢示の方向に進入（Ｘ方向）および退出（Ｙ方向）させることができる。
【００２７】
ストラップ１００の場合には、二重リング１２４から二重小リング１２６Ａを取り外して、マツバ１２６単体とする。マツバ１２６の紐１２６Ｃに、ストラップ１００に吊り下げられる物品を取り付ける。このとき、たとえば、物品が携帯電話である場合には携帯電話本体に設けられたストラップ穴に紐１２６Ｃを通して取り付ける。その後、二重リング１２４に二重小リング１２６Ａを取り付けて、マツバ１２６と介して物品（ここでは携帯電話）と本体部１１０とが連結される。
【００２８】
ストラップ２００の場合には、杖保持部２２６Ｂにストラップ２００に吊り下げられる杖を取り付ける（ここでは杖保持部２２６Ｂが単体の状態であるとする）。このとき、特許文献１に開示されたように取り付けることも好ましい。その後、ナスカン２２６Ａを用いて二重リング１２４と杖保持部２２６Ｂとを連結して、杖保持部２２６Ｂおよびナスカン２２６Ａを介して杖と本体部１１０とが連結される。
【００２９】
このように取り付けられたストラップ１００（２００）によると、タグ１４６（２４６）にはフラップ１４６Ｂ（２４６Ｂ）があるので、そのフラップ１４６Ｂ（２４６Ｂ）を捲るとタグ１４６（２４６）の透明シート１４４を介してラベル１４２を視認することができて、そのストラップ１００に吊り下げられた物品の持ち主等を識別する情報（氏名、住所等）を、視認したラベル１４２に基づいて認識することができる。
【００３０】
そして、タグ１４６（２４６）にはフラップ１４６Ｂ（２４６Ｂ）があるので、そのフラップ１４６Ｂ（２４６Ｂ）を捲らない限りラベル１４２が視認できないのでプライバシーに配慮することができ、かつ、タグ１４６（２４６）のフラップ１４６Ｂ（２４６Ｂ）と本体部１１０とは同じ素材で形成されているのでデザイン的に好ましい。
以上のようにして、本実施の形態に係るストラップによると、杖等の物品に適したストラップ（提げ具）であって、特に、杖等の物品に付けるだけでその杖等の物品の持ち主等を識別することができ、プライバシーに配慮し、かつ、デザイン的にも優れたストラップを提供することができる。
【００３１】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３２】
本考案は、杖等の物品に適したストラップ（提げ具）に好適に適用することができ、特に、杖等の物品に付けるだけでその杖等の物品の持ち主等を識別することができ、プライバシーに配慮し、かつ、デザイン的にも優れる点で好適に適用することができる。
【符号の説明】
【００３３】
１００、２００  ストラップ
１１０  本体部
１２０、２２０  連結部
１４０、２４０  収納部
１４２  ラベル
１４４  透明部（透明シート）
１４６、２４６  タグ
１４６Ａ、２４６Ａ  周囲部
１４６Ｂ、２４６Ｂ  被覆部（フラップ）
【図１】
0003199307.tif 000003
【図２】
0003199307.tif 000004
【図３】
0003199307.tif 000005